(57)【要約】      （修正有）【課題】放電バルブ又は給電ユニットのどちらか一方を交換出来、コストを削減出来る交換ユニットを提供する。【解決手段】合成樹脂製のベース３の前面にアークチューブ４が支持一体化され、ベース３の後端部に設けたコネクタ５に、キャップ型接続端子６と、該キャップ型接続端子６を取り囲む周壁７の中間部に外嵌固定された環状の接続端子6aを備えた放電バルブ１を、給電ユニット２の前面のソケット１０に着脱可能に装着し、該ソケット１０は、放電バルブ１の後端部を係合可能な円筒状の外周壁１２内に、接続端子６、６ａに対する端子１３、１４を設けると共に、交換対象のハロゲンバルブと同形の口金を有し、給電ユニット２の内部にはバラスト回路２１を、外部にはバラスト回路２１に接続された接続ケーブル２２を有し、ソケット１０の端子１３、１４とバラスト回路２１の接続コード２３、２４のどちらか一方をイグナイタ２５を介して接続する。【選択図】図３
0003171181.tif 000002
【実用新案登録請求の範囲】
【請求項１】
合成樹脂製のベースの前面にアークチューブが支持一体化され、ベースの後端部に設けたコネクタに、キャップ型接続端子と、該キャップ型接続端子を取り囲む周壁の中間部に外嵌固定された環状の接続端子を備えた放電バルブを、給電ユニットの前面のソケットに着脱可能に装着し、該ソケットは、放電バルブの後端部を係合可能な円筒状の外周壁内に、放電バルブ側の接続端子に対する端子を設けると共に、交換対象のハロゲンバルブと同形の口金を有し、給電ユニットの内部にはバラスト回路を、外部にはバラスト回路に接続された接続ケーブルを有し、ソケット側の端子とバラスト回路の接続コードのどちらか一方をイグナイタを介して接続したことを特徴とする放電バルブ交換ユニット。
【考案の詳細な説明】
【技術分野】
【０００１】
本考案は、既存のヘッドライトにおけるハロゲンバルブを、例えばＨＩＤ（Ｈｉｇｈ
Ｉｎｔｅｎｓｉｔｙ  Ｄｉｓｃｈａｒｇｅｄ）バルブの様な放電バルブに簡単に交換可能にした放電バルブ交換ユニットに関する。
【背景技術】
【０００２】
従来、既存のヘッドライトにおけるハロゲンバルブをＨＩＤバルブに交換する場合、バーナー・バラスト・配線が一つになったオールインワンモデルで、バルブ交換の感覚で簡単に取付可能にし、ランプユニットのバルブ穴に差し込んで取り付け、車両側のケーブルにコネクタを接続して取付作業が完了する「オールインワンＨＩＤ」なる商品が見受けられる（例えば、非特許文献１参照）。
【先行技術文献】
【非特許文献】
【０００３】
【非特許文献１】株式会社ＺＥＲＯ−１０００、“ ＺＥＲＯ−１０００/ 商品詳細ＡＬＬＩＮＯＮＥＨＩＤ/ オールインワンＨＩＤ" 、[online]、［平成２３年（２０１１年）４月２日検索］、インターネット〈URL:http://www.zero1000.com/products/detail.php?product ＿id=34>
【考案の概要】
【考案が解決しようとする課題】
【０００４】
しかし、上記従来技術にあっては、ＨＩＤバルブが一体化されているため、ＨＩＤバルブ又はバラスト回路のどちらか一方に不具合が生じたとしても、全てを交換せねばならないなど、解決せねばならない課題があった。
【課題を解決するための手段】
【０００５】
本考案は、上記従来技術に基づく、ＨＩＤバルブ一体型交換ユニットは全てを交換せねばならない課題に鑑み、合成樹脂製のベースの前面にアークチューブが支持一体化され、ベースの後端部に設けたコネクタに、キャップ型接続端子と、該キャップ型接続端子を取り囲む周壁の中間部に外嵌固定された環状の接続端子を備えた放電バルブを、給電ユニットの前面のソケットに着脱可能に装着し、該ソケットは、放電バルブの後端部を係合可能な円筒状の外周壁内に、放電バルブ側の接続端子に対する端子を設けると共に、交換対象のハロゲンバルブと同形の口金を有し、給電ユニットの内部にはバラスト回路を、外部にはバラスト回路に接続された接続ケーブルを有し、ソケット側の端子とバラスト回路の接続コードのどちらか一方をイグナイタを介して接続して放電バルブ交換ユニットとすることによって、放電バルブ又は給電ユニットのどちらか一方を交換可能にして、上記課題を解決する。
【考案の効果】
【０００６】
要するに本考案は、合成樹脂製のベースの前面にアークチューブが支持一体化され、ベースの後端部に設けたコネクタに、キャップ型接続端子と、該キャップ型接続端子を取り囲む周壁の中間部に外嵌固定された環状の接続端子を備えた放電バルブを、給電ユニットの前面のソケットに着脱可能に装着し、該ソケットは、放電バルブの後端部を係合可能な円筒状の外周壁内に、放電バルブ側の接続端子に対する端子を設けると共に、交換対象のハロゲンバルブと同形の口金を有し、給電ユニットの内部にはバラスト回路を、外部にはバラスト回路に接続された接続ケーブルを有し、ソケット側の端子とバラスト回路の接続コードのどちらか一方をイグナイタを介して接続しているので、上記従来技術と同様に交換作業の簡易化を図ることが出来る他、放電バルブ又は給電ユニットのどちらか一方を交換出来るため、交換コストを削減することが出来る等その実用的効果甚だ大である。
【図面の簡単な説明】
【０００７】
【図１】本考案に係る放電バルブ交換ユニットの底面図である。
【図２】図１の放電バルブ交換ユニットの正面図である。
【図３】図２のＡ−Ａ断面図である。
【図４】放電バルブを外した状態の放電バルブ交換ユニットの断面図である。
【考案を実施するための形態】
【０００８】
以下、本考案を実施するための形態を図面に基づき説明する。
本考案に係る放電バルブ交換ユニットは、基本的には、ＨＩＤバルブの様な高輝度放電バルブ１と、該放電バルブ１が装着される給電ユニット２とを有している。
【０００９】
放電バルブ１は、絶縁性を有した合成樹脂製のベース３の前面にアークチューブ４が支持一体化された構造で、ベース３の後端部にコネクタ５を設け、該コネクタ５は、キャップ型の接続端子６と、該接続端子６を取り囲む周壁７の中間部に外嵌固定された環状の接続端子6aとを有し、この接続端子６、6aにアークチューブ２内の対向電極（図示せず）を導通させている。
【００１０】
ベース３の外周部に、後述する給電ユニット２におけるソケット10のＪスロット15、15a と係合して放電バルブ１を抜脱させないための突出ピン８、8aを突設している。
【００１１】
ベース３に外周部で突出ピン８、8aより前面側寄りに鍔部９を周設し、該鍔部９に形成された溝（図示せず）の形状及び位置により放電バルブ１を、例えばＤ２Ｓ専用、Ｄ２Ｒ専用、又はＤ２Ｓ／Ｄ２Ｒ共用とに区別している。
【００１２】
給電ユニット２にあっては、放電バルブ１におけるコネクタ５に対するソケット10と、該ソケット10が前面に一体形成された給電ユニット本体11とを有している。
【００１３】
ソケット10は、放電バルブ１の後端部を係合可能な円筒状の外周壁12内に、接続端子６、6aに対する端子13、14を設け、外周壁12に設けたＪスロット15、15a に突出ピン８、8aを係合させ、ソケット10にコネクタ５を挿着したときに、端子13がキャップ型接続端子６を挟持し、端子14がベルト状端子6aに圧接して、ソケット10及びコネクタ５の間の導通を確保可能にしている。
尚、ソケット10には、交換対象のハロゲンバルブ（例えばＨ１タイプ、Ｈ８タイプ、Ｈ１１タイプ、ＨＢ３タイプ、ＨＢ４タイプ等）と同形の口金16を有している。
【００１４】
給電ユニット本体11は、概ね円形状のケーシング20と、該ケーシング20内に収容されたバラスト回路21と、車体側のケーブル（図示せず）への接続ケーブル22とを有し、ソケット10をケーシング20の中心に一体形成し、端子13、14をバラスト回路21に接続コード23、24で接続すると共に、接続コード23、24のどちらか一方はケーシング20内に配設されたイグナイタ25を介して接続され、バラスト回路21に接続ケーブル22を接続している。
尚、接続ケーブル22の末端のコネクタ26は、交換対象のハロゲンバルブ（例えばＨ１タイプ、Ｈ８タイプ、Ｈ１１タイプ、ＨＢ３タイプ、ＨＢ４タイプ等）と同じものとしたり、或いはコネクタ26に対応するものを車体側のケーブル（図示せず）の先端に取り付けるものとする。
又、バラスト回路21は、ケーシング20内に充填されたシリコン樹脂の様な絶縁性樹脂30で埋設するのが好ましい。
【００１５】
次に、本考案に係る放電バルブ交換ユニットの作用について説明する。
ヘッドライトがプロジェクタータイプであればＤ２Ｓ型の、リフレクタータイプであればＤ２Ｒ型の放電バルブ１を、交換対象のハロゲンバルブ（例えばＨ１タイプ、Ｈ８タイプ、Ｈ１１タイプ、ＨＢ３タイプ、ＨＢ４タイプ等）と同型のコネクタ26を有する給電ユニット２に装着して本考案に係る放電バルブ交換ユニットとし、必要に応じて車体側のケーブル（図示せず）の先端にコネクタ26に対応する接続手段（図示せず）を取り付ける。
そして、交換対象のハロゲンバルブ（図示せず）が外されたヘッドライトに上記放電バルブ交換ユニットを取り付け、接続ケーブル22を車体側のケーブル（図示せず）に接続するだけで交換作業が完了する。
【００１６】
又、放電バルブ１又は給電ユニット２のどちらか一方に不具合が生じた場合には、それだけを交換すれば解消される。
【符号の説明】
【００１７】
１      放電バルブ
２      給電ユニット
３      ベース
４      アークチューブ
５      コネクタ
６      キャップ型接続端子
6a      環状接続端子
７      周壁
10      ソケット
12      外周壁
13、14  端子
16      口金
21      バラスト回路
22      接続ケーブル
23、24  接続コード
25      イグナイタ
【図１】
0003171181.tif 000003
【図２】
0003171181.tif 000004
【図３】
0003171181.tif 000005
【図４】
0003171181.tif 000006